(57)【要約】【課題】隣接するクリアーホルダーの重ね合わせ面における滑りに起因してクリアーホルダー相互間に生じる位置ズレの大きさを低減することにより、積み重ね崩れの発生を防止できるクリアーホルダーを提供する。【解決手段】プラスチックシート２を略中央位置で二つ折りにして上部シート３と下部シート４とを形成し、下辺部５で上部シート３と下部シート４とを接合する熱融着部６を形成し、二つ折り辺部７の反対側の側辺部８，８および下辺部５の反対側の上辺部９，９を開放状態とし、さらに、上部シート３には、貫通孔１０を複数形成。【選択図】図１
2007210318.tif 000002
【特許請求の範囲】
【請求項１】
プラスチックシートを二つ折りにして上部シートと下部シートとを形成し、前記上部シートと前記下部シートとの間に書類を収納可能としたクリアーホルダーにおいて、
前記上部シートおよび前記下部シートの少なくとも一方には、貫通孔が複数個形成されていることを特徴とするクリアーホルダー。
【請求項２】
前記貫通孔が複数個形成されることにより、文字、図形または記号などの模様が表されていることを特徴とする請求項１に記載のクリアーホルダー。
【請求項３】
前記貫通孔は、前記上部シートおよび前記下部シートの双方に形成されていることを特徴とする請求項１または請求項２に記載のクリアーホルダー。
【請求項４】
前記貫通孔は、前記上部シートと前記下部シートとでは位置を異ならせて形成されていることを特徴とする請求項３に記載のクリアーホルダー。
【発明の詳細な説明】
【技術分野】
【０００１】  本発明は、クリアーホルダーに関するものであり、更に詳しくは、書類等の紙葉を収納した状態でクリアーホルダーを重ね合わせたときに、隣接するクリアーホルダーの重ね合わせ面における滑りに起因してクリアーホルダー相互間に生じる位置ズレの大きさを低減できるクリアーホルダーに関するものである。
【背景技術】
【０００２】  図４には従来のクリアーホルダーが示されており、このクリアーホルダー２１は、プラスチックシート２２を略中央位置で二つ折りにして上部シート２３と下部シート２４とを形成し、下辺部２５で上部シート２３と下部シート２４とを接合する熱融着部２６を形成し、二つ折り辺部２７の反対側の側辺部２８，２８および下辺部２５の反対側の上辺部２９，２９が開放状態となるように構成されている。【０００３】  このような構成のクリアーホルダー２１には、開放状態の側辺部２８，２８および上辺部２９，２９から書類等の紙葉を差し込み、上部シート２３と下部シート２４との間に収納する。そして、書類等の紙葉を収納した状態のクリアーホルダー２１を、図５に示すように、上部シート２３の面と下部シート２４の面とを対向させて複数段に積み重ねて机上等に放置することがある。
【発明の開示】
【発明が解決しようとする課題】
【０００４】  しかしながら、従来のクリアーホルダー２１に書類等の紙葉を収納した状態で複数段に積み重ねておくと、隣接するクリアーホルダー２１の重ね合わせ面における滑りに起因してクリアーホルダー２１相互間で位置ズレが生じ、この位置ズレの量が大きくなると積み重ねが崩れてしまい、再度書類等の整理を行わなければならない事態となる。このような崩れの発生は、積み重ね段数が多くなる程顕著になる。【０００５】  そこで、本発明は、隣接するクリアーホルダーの重ね合わせ面における滑りに起因してクリアーホルダー相互間に生じる位置ズレの大きさを低減することにより、積み重ね崩れの発生を防止できるクリアーホルダーを提供することを目的としている。
【課題を解決するための手段】
【０００６】  前記目的を達成するために、請求項１の発明は、プラスチックシートを二つ折りにして上部シートと下部シートとを形成し、前記上部シートと前記下部シートとの間に書類を収納可能としたクリアーホルダーにおいて、前記上部シートおよび前記下部シートの少なくとも一方には、貫通孔が複数個形成されているクリアーホルダーを特徴としている。【０００７】  このような構成により、クリアーホルダーを積み重ねた場合における隣接する一方のクリアーホルダーの上部シート面と他方のクリアーホルダーの下部シート面との間に閉じこめられた空気が、貫通孔を介して上部シート面または下部シート面と書類等の紙葉との間に逃げ、一方のクリアーホルダーの上部シート面と他方のクリアーホルダーの下部シート面との間の滑りが軽減され、重ね合わせたクリアーホルダー相互間の位置ズレの大きさが低減される。【０００８】  また、貫通孔を形成することによって、クリアーホルダーを形成する材料を節約でき、省資源効果が発揮される。特に、貫通孔を打ち抜きにより形成すると、打ち抜き片の再利用により省資源効果が発揮される。【０００９】  請求項２に記載されたものは、貫通孔が複数個形成されることにより、貫通孔全体によって文字、図形または記号などの模様が表されているクリアーホルダーを特徴としている。【００１０】  このような構成により、クリアーホルダーに貫通孔による種々の模様を形成することができ、意匠性を付与することができる。特に、貫通孔による模様の形成は、印刷による模様の形成よりも容易であり、意匠性のあるクリアーホルダーの実現が容易である。【００１１】  請求項３に記載されたものは、貫通孔が上部シートおよび下部シートの双方に形成されたクリアーホルダーを特徴としている。【００１２】  このような構成により、一方のクリアーホルダーの上部シート面と他方のクリアーホルダーの下部シート面との間に閉じこめられた空気がより一層逃げやすくなり、一方のクリアーホルダーの上部シート面と他方のクリアーホルダーの下部シート面との間の滑りの軽減効果が一層大きくなる。【００１３】  請求項４に記載されたものは、貫通孔は上部シートと下部シートとでは位置を異ならせて形成されているクリアーホルダーを特徴としている。【００１４】  このような構成により、クリアーホルダーに紙等の書類を収納した状態で、上部シートの貫通孔から突起物を突き刺してしまった場合でも、下部シートでもって突起物の侵入を阻止でき、紙等の書類の突起物による破損を防止できる。
【発明を実施するための最良の形態】
【００１５】  次に、本発明の実施の形態について図１を参照しながら説明する。本実施の形態のクリアーホルダー１は、プラスチックシート２を略中央位置で二つ折りにして上部シート３と下部シート４とを形成し、下辺部５で上部シート３と下部シート４とを接合する熱融着部６を形成し、二つ折り辺部７の反対側の側辺部８，８および下辺部５の反対側の上辺部９，９が開放状態となるように構成されている。【００１６】  さらに、上部シート３には、貫通孔１０が複数形成されている。貫通孔１０の大きさ（径）および個数は、上部シート３の強度が大きく低下しない程度であれば、特に限定されない。また、貫通孔１０の形状は、円形、三角形や四角形の多角形、ハート形等であってもよく、特に限定されない。【００１７】  プラスチックシート２は、ポリエチレン、ポリプロピレン、ポリ塩化ビニル等からなる透明または半透明なシート材で形成されていることが好ましい。また、プラスチックシート２は、例えば半透明で且つ白色、青色、緑色、黄色又は赤色等の種々の色のシート材を用いてもよい。【００１８】  本実施の形態のクリアーホルダー１には、開放状態の側辺部８，８および上辺部９，９から書類等の紙葉を差し込み、上部シート３と下部シート４との間に収納する。【００１９】  そして、書類等の紙葉を収納した状態のクリアーホルダー１を上部シート３を上面にし、下部シート４を下面にして複数段に積み重ねると、隣接する一方のクリアーホルダーの上部シート３面と他方のクリアーホルダーの下部シート４面との間に閉じこめられた空気が、貫通孔１０を介して上部シート３面と書類等の紙葉との間に逃げるように作用する。【００２０】  このため、一方のクリアーホルダーの上部シート３面と他方のクリアーホルダーの下部シート４面との間の滑りが軽減され、重ね合わせたクリアーホルダー相互間の位置ズレの大きさが低減される。【００２１】  前記実施の形態においては、上部シート３にのみ貫通孔１０を形成した例を説明したが、上部シート３および下部シート４の双方に、貫通孔１０を形成すると、一方のクリアーホルダーの上部シート３面と他方のクリアーホルダーの下部シート４面との間に閉じこめられた空気がより一層逃げやすくなり、一方のクリアーホルダーの上部シート３面と他方のクリアーホルダーの下部シート４面との間の滑りの軽減効果が一層大きくなり、位置ズレをより効果的に防止できるようになる。【００２２】  さらに、上部シート３および下部シート４の双方に、貫通孔１０を形成する場合、上部シート３と下部シート４とでは位置を異ならせて貫通孔１０を形成すると、クリアーホルダーに紙等の書類を収納した状態で、上部シート３の貫通孔１０から突起物を突き刺してしまった場合でも、下部シート４でもって突起物の侵入を阻止でき、紙等の書類の突起物による破損を防止できる。【００２３】  また、前記実施の形態においては、プラスチックシート２を略中央位置で二つ折りにして上部シート３と下部シート４とを形成し、下辺部５で上部シート３と下部シート４とを接合する熱融着部６を形成したクリアーホルダー１を説明したが、プラスチックシート２を略中央位置で二つ折りにして上部シート３と下部シート４との間に書類等の紙葉を収納するものであればよい。【００２４】  図２は、本発明の他の実施の形態を示したものであり、上部シート３に複数個の貫通孔１１を形成し、貫通孔１１全体でもってハート形の図形模様を表すことにより、意匠性のあるクリアーホルダーを実現したものである。【００２５】  図３は、本発明の更に他の実施の形態を示したものであり、上部シート３に複数個の貫通孔１２を形成し、貫通孔１２全体でもって「日立」の文字模様を表したものである。【００２６】  図２および図３に示すように、貫通孔１１，１２全体でもって模様を形成する場合は、クリアーホルダーに収納する書類と、クリアーホルダーの色を異なるものとすれは、模様の形状が一層引き立つようになる。具体的には、書類は白色が多いので、クリアーホルダーは半透明で且つ青色、緑色、黄色又は赤色等の白色以外に着色されていることが好ましい。
【図面の簡単な説明】
【図１】本発明の実施の形態に係るクリアーホルダーの斜視図である。
【図２】本発明の他の実施の形態に係るクリアーホルダーの平面図である。
【図３】本発明のさらに他の実施の形態に係るクリアーホルダーの平面図である。
【図４】従来のクリアーホルダーの斜視図である。
【図５】クリアーホルダーを積み重ねた状態の斜視図である。
【符号の説明】
１  クリアーホルダー
２  プラスチックシート
３  上部シート
４  下部シート
１０、１１，１２  貫通孔
【図１】
2007210318.tif 000003
【図２】
2007210318.tif 000004
【図３】
2007210318.tif 000005
【図４】
2007210318.tif 000006
【図５】
2007210318.tif 000007